(57)【要約】【課題】照明装置の小型化と、照明装置の高出力化とを実現する照明装置を提供する。【解決手段】照明装置１は、光源４１と、光源４１を収容する器具本体３と、器具本体３の外壁部２３に配置される１以上のバネ部３０とを備える。そして、各々のバネ部３０は、外壁部２３に沿って配置される配設部３１と、配設部３１に対してバネ部３０を折り返す屈曲部３３と、配設部３１に接続され、光源４１から出射される光の光軸方向に延びて器具本体３に係止される第１突起部３４とを有する。【選択図】図２Ａ
2020071972.tif 000002
【特許請求の範囲】
【請求項１】
光源と、
前記光源を収容する器具本体と、
前記器具本体の外壁部に配置される１以上のバネ部とを備え、
各々の前記バネ部は、前記外壁部に沿って配置される配設部と、前記配設部に対して前記バネ部を折り返す屈曲部と、前記配設部に接続され、前記光源から出射される光の光軸方向に延びて前記器具本体に係止される第１突起部とを有する
照明装置。
【請求項２】
前記器具本体は、前記第１突起部の一部が挿入されることで前記第１突起部を係止する溝部を有する
請求項１に記載の照明装置。
【請求項３】
前記第１突起部は、前記屈曲部よりも前記光軸方向に突出する
請求項１又は２に記載の照明装置。
【請求項４】
前記バネ部の各々は、前記配設部の幅方向の両側に配置される一対の前記第１突起部を有し、
前記溝部は、一対の前記第１突起部に対応する
請求項２に記載の照明装置。
【請求項５】
前記第１突起部は、前記配設部の幅方向の中央部分に形成される
請求項３に記載の照明装置。
【発明の詳細な説明】
【技術分野】
【０００１】
本開示は、バネ部を用いて造営材に取り付けられる照明装置に関する。
【背景技術】
【０００２】
従来、照明装置として、例えば、ダウンライトのように天井板等の造営材に取り付けて鉛直方向下向きに光を照射する天井埋込型の照明装置等が知られている。
【０００３】
例えば、特許文献１に開示される照明装置は、発光素子を有する発光モジュールと、前後方向に開口され光源ユニットを配置する枠体と、枠体の周囲に取り付けられた複数の取付ばねとを有する。枠体の外側には、枠体の外側面よりも突出する複数の取付ばね取付部が設けられている。取付ばねは、その基端側が取付ばね取付部に配設される。
【先行技術文献】
【特許文献】
【０００４】
【特許文献１】特開２０１８−０４５９５７号公報
【発明の概要】
【発明が解決しようとする課題】
【０００５】
特許文献１に開示された照明装置において、照明装置を造営材に取り付ける際に、取付ばねの自由端を、枠体に向けて弾性変形させて造営材の取付孔に挿入する。この際、自由端とつながる取付ばねの屈曲部が、自由端の弾性変形に伴い、枠体の外径方向に広がってしまう。従来の照明装置では、屈曲部の広がりを加味して、造営材の取付孔と取付ばねとのクリアランスを大きく確保しないと、取付ばねの屈曲部が造営材の取付孔と干渉し、造営材に取り付けができなくなってしまう。これにより、高出力を必要とする照明装置の場合には、放熱体積を大きくする必要があるのに加えて、取付孔と取付ばねとのクリアランスを大きく確保すると照明装置が大型化してしまう。逆の観点では、取付孔乃至照明装置を小型化する必要がある場合、取付孔と取付ばねとのクリアランスを大きく確保すると、十分な放熱体積を確保することができなくなるため、高出力化を行うことができ難くなる。
【０００６】
そこで、本開示は、照明装置の小型化と、照明装置の高出力化とを実現することができる照明装置を提供することを目的とする。
【課題を解決するための手段】
【０００７】
上記目的を達成するために、本発明に係る照明装置の一態様は、光源と、前記光源を収容する器具本体と、前記器具本体の外壁部に配設される１以上のバネ部とを備え、各々の前記バネ部は、前記外壁部に沿って配置される配設部と、前記配設部に対して前記バネ部を折り返す屈曲部と、前記配設部に接続され、前記光源から出射される光の光軸方向に延びて前記器具本体に係止される第１突起部とを有する。
【発明の効果】
【０００８】
本開示によれば、照明装置の小型化と、照明装置の高出力化とを実現することができる。
【図面の簡単な説明】
【０００９】
【図１Ａ】図１Ａは、実施の形態に係る照明装置を造営材に取り付けた状態において、下側から照明装置を見た場合の照明装置の外観を示す斜視図である。
【図１Ｂ】図１Ｂは、実施の形態に係る照明装置を造営材に取り付けた状態において、上側から照明装置を見た場合の照明装置の外観を示す斜視図である。
【図２Ａ】図２Ａは、実施の形態に係る照明装置において、通常の状態の照明装置を上側から見た場合の照明装置の外観を示す斜視図である。
【図２Ｂ】図２Ｂは、実施の形態に係る照明装置において、通常の状態の照明装置を下側から見た場合の照明装置の外観を示す斜視図である。
【図２Ｃ】図２Ｃは、図２ＡのＩＩＣ−ＩＩＣ線における照明装置の断面を示す断面図である。
【図３Ａ】図３Ａは、図２ＡのＩＩＩＡ−ＩＩＩＡ線におけるバネ部の第１突起部、溝部等を示す部分拡大断面図である。
【図３Ｂ】図３Ｂは、図２ＡのＩＩＩＢ−ＩＩＩＢ線におけるバネ部の爪部、バネ部の屈曲部等を示す部分拡大断面図である。
【図４Ａ】図４Ａは、実施の形態に係る照明装置において、バネ部が直立の状態の照明装置を上側から見た場合の照明装置の外観を示す斜視図である。
【図４Ｂ】図４Ｂは、図４ＡのＩＶＢ−ＩＶＢ線における照明装置の断面を示す断面図である。
【図５Ａ】図５Ａは、図４ＡのＶＡ−ＶＡ線におけるバネ部の屈曲部等を示す部分拡大断面図である。
【図５Ｂ】図５Ｂは、図４ＡのＶＢ−ＶＢ線におけるバネ部の第１突起部、溝部等を示す部分拡大断面図である。
【図６】図６は、実施の形態に係る照明装置において、通常の状態、バネ部が直立の状態、及び、取付の状態となる様子を例示した図である。
【図７Ａ】図７Ａは、実施の形態の変形例１に係る照明装置において、バネ部の屈曲部、第１突起部、溝部等を示す部分拡大断面図である。
【図７Ｂ】図７Ｂは、図７ＡのＶＩＩＢ−ＶＩＩＢ線における、バネ部の屈曲部、第１突起部、溝部等を示す部分拡大断面図である。
【図８】図８は、実施の形態の変形例２に係る照明装置において、通常の状態の照明装置を上側から見た場合の照明装置の外観を示す斜視図である。
【発明を実施するための形態】
【００１０】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１１】
なお、各図は、模式図であり、必ずしも厳密に図示されたものではない。また、各図において、実質的に同一の構成に対しては同一の符号を付しており、重複する説明は省略又は簡略化する。
【００１２】
以下の説明において、照明装置が光を出射する方向をＸ軸方向とし、照明装置において器具本体からバネ部が延びる方向をＹ軸方向とし、Ｘ軸方向及びＹ軸方向と交差する方向をＺ軸方向と規定する。
【００１３】
なお、各図において、照明装置が出射する光の光軸に平行な方向をＸ軸方向とする。本実施の形態において、Ｘ軸方向は、鉛直方向である。なお、光軸は照明装置が出射する光のうち、主たる光が出射される軸であり、例えば光軸方向はＸ軸プラス方向とする。
【００１４】
以下、本開示の実施の形態に係る表示装置について説明する。
【００１５】
（実施の形態）
［全体構成］
図１Ａは、実施の形態に係る照明装置１を造営材１００に取り付けた状態において、下側から照明装置１を見た場合の照明装置１の外観を示す斜視図である。図１Ｂは、実施の形態に係る照明装置１を造営材１００に取り付けた状態において、上側から照明装置１を見た場合の照明装置１の外観を示す斜視図である。
【００１６】
図１Ａ及び図１Ｂに示すように、照明装置１は、例えば建物の造営材１００の取付孔１０１に取り付けられることにより下方（床、壁等）に光を照明するダウンライト等の埋込型の照明装置である。実施の形態では、照明装置１は、造営材１００に対して光軸方向を傾斜させることができる、いわゆるユニバーサルダウンライトであってもよい。この場合、照明装置１が出射する光の光軸が可変されるため、例えば光軸方向とＸ軸プラス方向とが必ずしも平行となるわけではない。
【００１７】
照明装置１の構造について、図２Ａ、図２Ｂ及び図２Ｃを用いて説明する。図２Ａは、実施の形態に係る照明装置１において、通常の状態の照明装置１を上側から見た場合の照明装置１の外観を示す斜視図である。図２Ｂは、実施の形態に係る照明装置１において、通常の状態の照明装置１を下側から見た場合の照明装置１の外観を示す斜視図である。図２Ｃは、図２ＡのＩＩＣ−ＩＩＣ線における照明装置１の断面を示す断面図である。ここでいう通常の状態とは、照明装置１を造営材１００の取付孔１０１に取り付けていない状態であり、かつ、複数のバネ部３０を弾性変形させていない状態である。つまり、通常の状態は、バネ部３０に何らかの力が付与されておらず、バネ部３０が弾性変形していない状態を意味する。
【００１８】
図２Ａ、図２Ｂ及び図２Ｃに示すように、照明装置１は、筐体１０と、枠体２０と、複数のバネ部３０と、発光モジュール４０と、光学部材５０とを備える。枠体２０、発光モジュール４０、及び、光学部材５０が灯具５を構成する。筐体１０、及び、灯具５が器具本体３を構成する。
【００１９】
［筐体］
図２Ｃに示すように、筐体１０は、発光モジュール４０を収容する有底筒状の部材である。筐体１０は、図示しない光源取付台を備える。
【００２０】
光源取付台は、発光モジュール４０が取り付けられる取付台である。光源取付台は、発光モジュール４０から発せられた熱を放散するヒートシンクとしても機能する。したがって、光源取付台は、金属材料等の熱伝導率の高い材料、例えばアルミニウムからなるアルミダイカスト製である。なお、光源取付台は、筐体１０と一体的に構成されてもよく、筐体１０と別部材で構成されてもよい。
【００２１】
なお、光源取付台における下側（Ｘ軸プラス方向側）の面には、発光モジュール４０が配置される。光源取付台は、上側（Ｘ軸マイナス方向側）に、放熱用の複数のフィンを有してもよい。これにより、発光モジュール４０から発せられた熱は、複数のフィンに効率よく伝達される。
【００２２】
図２Ａに示すように、筐体１０は、バネ部３０が差し込まれる挿通孔１０ａを有する。挿通孔１０ａは、各々のバネ部３０の一部（後述する爪部３１ａ）を係止する役割を持つ係止部である。本実施の形態では、筐体１０は、複数のバネ部３０に対して一対一で対応した複数の挿通孔１０ａを有する。
【００２３】
［枠体］
枠体２０は、器具本体３の開口部側に配置される筒状の部材である。枠体２０は、例えば、アルミニウム等の金属材料によって形成される。枠体２０は、反射部２１と、鍔部２２と、外壁部２３とを備える。
【００２４】
反射部２１は、発光モジュール４０から出射した光の一部を反射する。反射部２１は外観意匠部でもあり、白色や有色であってもよく、配光を制御するための鏡面であってもよい。反射部２１は、例えばセードで構成されてもよい。本実施の形態では、反射部２１の内面は、発光モジュール４０からの光を光学部材５０に向けて反射させる。反射部２１は、発光モジュール４０からの光が入射される側（Ｘ軸方向マイナス側）の端部から、当該光が出射される側（Ｘ軸方向プラス側）の端部に向かって内径が漸次大きくなるように構成されたお椀形状である。
【００２５】
鍔部２２は、照明装置１が取り付けられる天井板等の造営材１００を保持する円環状の部分である。鍔部２２は、枠体２０の下端縁（Ｘ軸プラス方向の端縁）から外径方向（以下、○○から離れる方向と同義である。）に延びる。鍔部２２の外径は、図１Ｂに示すように照明装置１が取り付けられる造営材１００の取付孔１０１の内径よりも大きい。鍔部２２と複数のバネ部３０とは、造営材１００を挟持することで、照明装置１を造営材１００に安定的に固定する。
【００２６】
さらに鍔部２２について図３Ａ及び図３Ｂを用いて説明する。図３Ａは、図２ＡのＩＩＩＡ−ＩＩＩＡ線におけるバネ部３０の第１突起部３４、溝部２２ａ等を示す部分拡大断面図である。図３Ｂは、図２ＡのＩＩＩＢ−ＩＩＩＢ線におけるバネ部３０の爪部３１ａ、バネ部３０の屈曲部３３等を示す部分拡大断面図である。
【００２７】
図３Ａ及び図３Ｂに示すように、鍔部２２は、後述するバネ部３０の第１突起部３４の一部が挿入されることで第１突起部３４を係止する溝部２２ａを有する。鍔部２２は複数の溝部２２ａを有し、複数の溝部２２ａは、複数の第１突起部３４に一対一で対応する。溝部２２ａは、鍔部２２の上側面（Ｘ軸マイナス方向側の面）に形成され、Ｘ軸プラス方向に凹む凹部である。複数の溝部２２ａは、バネ部３０の第１突起部３４と対応する鍔部２２の箇所、つまり第１突起部３４が挿入される鍔部２２の箇所にそれぞれ形成される。溝部２２ａは、各々のバネ部３０の第１突起部３４が枠体２０の外径方向へ移動することを抑制する役割を持つ係止部である。
【００２８】
外壁部２３は、枠体２０の外側面を形成する壁状部材である。本実施の形態では、外壁部２３は、円筒状の形状を有する。外壁部２３の外径は、鍔部２２の外径より小さい。また、外壁部２３の外径は、照明装置１が取り付けられる造営材１００の取付孔１０１の内径よりも小さい。
【００２９】
［バネ部］
図２Ａに示すように、複数のバネ部３０は、造営材１００に形成された取付孔１０１に照明装置１を取り付けるための弾性部材であり、枠体２０の外壁部２３に取り付けられる板バネである。複数のバネ部３０と枠体２０の鍔部２２とによって、造営材１００を挟持する。バネ部３０の板厚及び幅は、バネ部３０を形成する材料のヤング率、照明装置１の重量等に応じて、照明装置１を造営材１００に安定的に固定できるように適宜定められる。なお、バネ部３０は、板バネに限定されず、線バネでもよく、他の公知のバネを用いてもよい。
【００３０】
本実施の形態では、照明装置１は、二つのバネ部３０を備える。なお、照明装置１は、三つ以上のバネ部３０を備えてもよい。各々のバネ部３０は、枠体２０において、筐体１０の挿通孔１０ａと、鍔部２２の溝部２２ａによって係止される。本実施の形態では、二つのバネ部３０は、それぞれ略一定の幅（図２ＡのＺ軸方向における幅）を有する板状の部材である。バネ部３０は、例えば鋼材等の金属材料で形成される。
【００３１】
バネ部３０の各々は、配設部３１と、アーム部３２と、屈曲部３３と、複数の第１突起部３４と、複数の第２突起部３５とを有する。
【００３２】
図２Ａ及び図３Ｂに示すように、配設部３１は、外壁部２３に沿って配置される基端であり、Ｘ軸方向に長尺な板状の取付部である。配設部３１は、爪部３１ａを有する。爪部３１ａは、配設部３１に接続され、屈曲部３３と接続する側と反対側に設けられる。爪部３１ａは、桝形（クランク状）に形成される。また、爪部３１ａは、挿通孔１０ａに挿通されて筐体１０に係止される被係止部である。具体的には、爪部３１ａは、外壁部２３の外側面に沿って延び、かつ、挿通孔１０ａ上で折れ曲がって挿通孔１０ａを挿通し、さらに、挿通孔１０ａを挿通した後にさらにＸ軸方向に折れ曲がる。爪部３１ａは、挿通孔１０ａに挿通されることで、バネ部３０の配設部３１が筐体１０から外れ難くなる。なお、桝形は、鉤形の形状を含む意味である。
【００３３】
アーム部３２は、屈曲部３３と接続され、外壁部２３から離れる方向に延びる板状であり、自由端である。照明装置１を造営材１００の取付孔１０１に取り付けた際、アーム部３２は、アーム部３２の復元力によって、造営材１００の取付孔１０１に対してＸ軸プラス方向側に応力をかける。
【００３４】
屈曲部３３は、配設部３１とアーム部３２とを接続し、配設部３１に対してアーム部３２を折り返す屈曲形状を有する部分である。言い換えれば、屈曲部３３は、配設部３１とアーム部３２とを結び、配設部３１に対してアーム部３２を枠体２０の外径方向へ折り返す形状を備える部分である。ここで、屈曲形状は、曲げられた形状であることを意味し、所定の曲率半径で湾曲した形状である。本実施の形態において、屈曲部３３の少なくとも一部である曲率半径は、約１〜２ｍｍである。屈曲形状は、円弧状、放物線状等である。屈曲部３３は、所定の曲率半径を有するため、配設部３１に対するアーム部３２のバネ性を確保する。
【００３５】
図４Ａ、図４Ｂ、図５Ａ及び図５Ｂに、取付孔１０１に挿入する際の照明装置１及び屈曲部３３近傍の様子を示す。図４Ａは、実施の形態に係る照明装置１において、バネ部３０が直立の状態の照明装置１を上側から見た場合の照明装置１の外観を示す斜視図である。図４Ｂは、図４ＡのＩＶＢ−ＩＶＢ線における照明装置１の断面を示す断面図である。図５Ａは、図４ＡのＶＡ−ＶＡ線におけるバネ部３０の屈曲部３３等を示す部分拡大断面図である。図５Ｂは、図４ＡのＶＢ−ＶＢ線におけるバネ部３０の第１突起部３４、溝部２２ａ等を示す部分拡大断面図である。
【００３６】
図４Ａ、図４Ｂ、図５Ａ及び図５Ｂに、照明装置１を造営材１００の取付孔１０１に取り付ける際に、バネ部３０を器具本体３に近づけるように弾性変形させる場合の様子を示す。ここでバネ部３０を器具本体３に近づけるように弾性変形（以下、単に、バネ部３０を弾性変形という場合がある）させる場合は、アーム部３２を配設部３１と重なるように、アーム部３２を器具本体３に近づける場合であり、バネ部３０が直立の状態であることを意味する。
【００３７】
バネ部３０の各々は、配設部３１の両側に配置される一対の第１突起部３４を有する。図２Ａ及び図３Ａに示すように、第１突起部３４は、配設部３１に接続され、配設部３１から外壁部２３の外側面に沿うように、光源４１から出射される光の光軸方向（Ｘ軸プラス方向）に延びて、器具本体３に係止される突起である。第１突起部３４は、屈曲部３３よりもＸ軸プラス方向に突出する。第１突起部３４は、一部が溝部２２ａに挿入されることで枠体２０の溝部２２ａに係止される。第１突起部３４の一部が溝部２２ａに挿入される方向（Ｘ軸方向）は、アーム部３２を配設部３１に近づけるように複数のバネ部３０を弾性変形させる際に、屈曲部３３が動く方向（Ｙ軸方向）と交差する。複数の溝部２２ａは、一対の第１突起部３４と対応する。
【００３８】
第１突起部３４と屈曲部３３との間には、スリット３０ａが形成される。スリット３０ａは、Ｘ軸方向に向く切り欠きである。スリット３０ａは、配設部３１の幅方向の両側に形成される。スリット３０ａによって、屈曲部３３は、第１突起部３４に対して動く。このとき、スリット３０ａのＸ軸方向の長さが短いほど、屈曲部３３が枠体の外形方向に広がることを抑制することができる。本実施の形態では、スリット３０ａのＸ軸方向の長さは、例えば、枠体２０のＸ軸方向の高さよりも小さい。
【００３９】
第２突起部３５は、外壁部２３の外側面に沿うように第１突起部３４とは反対方向（Ｘ軸マイナス方向）に突出する。詳細については後述するが、バネ部３０を器具本体３に近づけるように弾性変形させる場合、第２突起部３５は、器具本体３、筐体１０の内側（筐体１０の内径側）に向けて応力をかける。
【００４０】
［発光モジュール］
図２Ｃに示すように、発光モジュール４０は、所定の光を放射状に出射するＬＥＤ（Ｌｉｇｈｔ  Ｅｍｉｔｔｉｎｇ  Ｄｉｏｄｅ）モジュールである。本実施の形態では、発光モジュール４０は、光源４１と実装基板４２とを有する。光源４１は、例えば白色光を出射するように構成されている。光源４１は、ＣＯＢ（Ｃｈｉｐ  Ｏｎ  Ｂｏａｒｄ）型ＬＥＤで構成され、実装基板４２と、実装基板４２上に実装されたベアチップ（ＬＥＤチップ）である複数の青色ＬＥＤと、それら青色ＬＥＤを封止し、黄色蛍光体を含む封止部材とを備える。
【００４１】
光源４１に用いられる実装基板４２は、複数のＬＥＤを実装するための基台であり、例えばセラミックス基板、樹脂基板又は絶縁被覆されたメタルベース基板などである。また、実装基板４２は、例えば平面視において矩形状である平面を有する板材である。実装基板４２は、器具本体３の光源取付台に向けて固定される。なお、実装基板４２には、ＬＥＤを発光させるために、直流電力を電源ユニットから受電する一対の電極端子（正電極端子及び負電極端子）が形成される（不図示）。
【００４２】
［光学部材］
光学部材５０は、発光モジュール４０からの光が入射される透光性の部材である。なお、光学部材５０は、発光モジュール４０から出射する光の配光を制御して出射する機能を有してもよい。例えば光学部材５０は、フレネルレンズ等であってもよい。光学部材５０は、透光性材料を用いて形成され、例えばアクリル、ポリカーボネート（ＰＣ）等の透明樹脂材料、又は、ガラス材料等の透明材料を用いて形成する。光学部材５０は、透明であってもよく、光を拡散透過する乳白色であってもよい。
【００４３】
［照明装置の取付け］
照明装置１を造営材１００の取付孔１０１に取り付ける方法について、図６を用いて説明する。
【００４４】
図６は、実施の形態に係る照明装置１において、通常の状態、バネ部３０が直立の状態、及び、取付の状態となる様子を例示した図である。
【００４５】
図６に示すように、照明装置１を取り付けていない通常の状態では、照明装置１のバネ部３０は、器具本体３から遠ざかるにつれて、Ｘ軸プラス方向側に向いて下り傾斜する姿勢となる。
【００４６】
図４Ａ、図４Ｂ、図５Ａ、及び、図５Ｂに示すように、照明装置１を造営材１００の取付孔１０１に取り付ける際に、バネ部３０を器具本体３に近づけるように弾性変形させる。具体的には、バネ部３０のアーム部３２を器具本体３に近づけるように直立させる姿勢とする（バネ部３０が直立の状態）。この状態では、アーム部３２が直立することで、アーム部３２に接続された屈曲部３３が、爪部３１ａを支点に外壁部２３から外径方向に動こうとする。この際、屈曲部３３の動きと連動してバネ部３０の第１突起部３４も外壁部２３に対して外径方向へ動こうとする。しかし、第１突起部３４は、溝部２２ａに挿入されているため、外壁部２３に対する外径方向への動きが抑制される。こうして、屈曲部３３の外径方向への動きが抑制されるため、屈曲部３３が器具本体３から離間することを抑制できる、つまり、複数のバネ部３０が器具本体３から離れる方向に広がらない。
【００４７】
また、バネ部３０を直立の状態にした際に、バネ部３０の第２突起部３５及び爪部３１ａは、外壁部２３に対して押付ける方向（外壁部２３の内側方向）に力を働かせる。つまり、バネ部３０を器具本体３に近づけるように弾性変形させる際の外壁部２３に対して押付ける応力を、爪部３１ａだけでなく、第２突起部３５によっても確保する。
【００４８】
バネ部３０を直立の状態にした照明装置１を造営材１００の取付孔１０１に挿入して取り付ける。図６に示すように、取付孔１０１に照明装置１を挿入すると、バネ部３０の復元力によりアーム部３２が造営材１００の取付孔１０１に対してＸ軸プラス方向側に応力をかける。つまり、鍔部２２と複数のバネ部３０とは、造営材１００を挟持する。アーム部３２は、器具本体３から遠ざかるにつれてＸ軸マイナス方向側に向いて上り傾斜する姿勢となる。こうして、照明装置１は、造営材１００に安定的に固定される取付の状態となる。
【００４９】
［作用効果］
次に、本実施の形態における照明装置１の作用効果について説明する。
【００５０】
本実施の形態に係る照明装置１は、光源４１と、光源４１を収容する器具本体３と、器具本体３の外壁部２３に配置される１以上のバネ部３０とを備える。そして、各々のバネ部３０は、外壁部２３に沿って配置される配設部３１と、配設部３１に対してバネ部３０を折り返す屈曲部３３と、配設部３１に接続され、光源４１から出射される光の光軸方向に延びて器具本体３に係止される第１突起部３４とを有する。
【００５１】
従来の照明装置では、取付ばね取付部に板ばねが取り付けられているため、板ばねを器具本体に近づけるように直立させた場合、屈曲部が、外径方向に広がってしまい、板ばねの屈曲部が造営材の取付孔と干渉し、造営材に取り付けができなくなってしまう。これにより、高出力を必要とする照明装置の場合には、放熱体積を大きくする必要があるのに加えて、取付孔と板ばねとのクリアランスを大きく確保すると照明装置が大型化してしまう。
【００５２】
しかし、この照明装置１では、複数のバネ部３０を器具本体３に近づけるように弾性変形させた場合、アーム部３２が器具本体３に近づくと同時に、屈曲部３３が器具本体３から離れる方向に動くものの、第１突起部３４が器具本体３に係止されるため、屈曲部３３が器具本体３の径外方向への移動が抑制される。このように、従来のような取付ばね取付部を器具本体に設けなくても、この照明装置１では、第１突起部３４を器具本体３に係止することができるため、配設部３１を小型化（つまり照明装置１を小型化）することができる。
【００５３】
このため、照明装置１を造営材１００に取り付ける際に、複数のバネ部３０を器具本体３に近づけるように弾性変形させた状態にしても、第１突起部３４が器具本体３から大きく離間しない、つまり複数のバネ部３０が器具本体３に対して大きく広がらない。その結果、バネ部３０の屈曲部３３と造営材１００の取付孔１０１との干渉が抑制され、照明装置１を造営材１００に容易に取り付けすることができる。
【００５４】
また、取付孔１０１とバネ部３０とのクリアランスを小さくすることができるため、取付孔１０１乃至照明装置１を小型化する必要がある場合でも、照明装置１において十分な放熱体積を確保することができ易くなるため、高出力化を行うことができ易くなる。
【００５５】
したがって、照明装置１の小型化と、照明装置１の高出力化とを実現することができる。
【００５６】
また、本実施の形態に係る照明装置１において、器具本体３は、第１突起部３４の一部が挿入されることで第１突起部３４を係止する溝部２２ａを有する。
【００５７】
これによれば、溝部２２ａは、第１突起部３４の移動を抑制することができる。これにより、器具本体３の動きが抑制される。
【００５８】
また、本実施の形態に係る照明装置１において、第１突起部３４は、屈曲部３３よりも光軸方向に突出する。
【００５９】
これによれば、第１突起部３４は、器具本体３に引っかかり（係止され）易い。
【００６０】
また、本実施の形態に係る照明装置１において、バネ部３０の各々は、配設部３１の両側に配置される一対の第１突起部３４を複数有する。そして、溝部２２ａは、複数の第１突起部３４に対応する。
【００６１】
これによれば、複数のバネ部３０を器具本体３に近づけるように弾性変形させる際に、一対の第１突起部３４が溝部２２ａに係止されるため、各々のバネ部３０にかかる弾性力をバネ部３０の幅方向において略均一にすることができる。このため、複数のバネ部３０を器具本体３に近づけるように弾性変形させる際に、バネ部３０の一部分が変形し難くなる。
【００６２】
また、本実施の形態に係る照明装置１において、第１突起部３４の一部が溝部２２ａに挿入される方向は、複数のバネ部３０を器具本体３に近づけるように弾性変形させる際に、屈曲部３３が動く方向と交差する。
【００６３】
これによれば、図４Ａのように複数のバネ部３０を器具本体３に近づけるように弾性変形させた場合、屈曲部３３が枠体２０の外径方向への移動をより確実に抑制することができる。つまり、複数のバネ部３０が器具本体３から離れるように広がらない。
【００６４】
また、本実施の形態に係る照明装置１において、配設部３１は、屈曲部３３と接続する側と反対側に延びる爪部３１ａを有する。そして、爪部３１ａは、器具本体３に係止される。
【００６５】
これによれば、第１突起部３４が溝部２２ａから離れる方向に力がかかっても、爪部３１ａが器具本体３の挿通孔１０ａに係止されるため、バネ部３０が、器具本体３に対して外れ難い。このため、造営材１００に対して照明装置１を着脱させる際に、図４Ａのように複数のバネ部３０を器具本体３に近づけるように弾性変形させても、バネ部３０が器具本体３から外れ難い。
【００６６】
また、本実施の形態に係る照明装置１において、バネ部３０は、さらに、外壁部２３の外側面に沿うように第１突起部３４とは反対方向に突出する第２突起部３５を有する。
【００６７】
これによれば、バネ部３０を直立の状態にした際に、爪部３１ａだけでなく、第２突起部３５も外壁部２３に対して押付ける方向に力を働かせる。このため、第２突起部３５は、バネ部３０を器具本体３に近づけるように弾性変形する際の保持力を確保することができる。
【００６８】
また、本実施の形態に係る照明装置１において、第１突起部３４と屈曲部３３との間には、スリット３０ａが形成される。
【００６９】
第１突起部３４と屈曲部３３とが接続されていれば（つまり、スリット３０ａが無ければ）、器具本体３から離れる方向又は近づく方向への、屈曲部３３の移動が抑制されるため、図４Ａのように複数のバネ部３０の配設部３１を器具本体３に近づけるように弾性変形させ難い。しかしながら、スリット３０ａによって、屈曲部３３は、第１突起部３４に対して動くことができるため、器具本体３に対して離れる方向又は近づく方向にスムーズに動くことができる。このため、複数のバネ部３０を器具本体３に容易に取り付けることができる。
【００７０】
（実施の形態の変形例１）
実施の形態の変形例１の照明装置１の構成を、図７Ａ及び図７Ｂを用いて説明する。
【００７１】
図７Ａは、実施の形態の変形例１に係る照明装置１において、バネ部３０の屈曲部３３、第１突起部２３４、溝部２２ａ等を示す部分拡大断面図である。図７Ｂは、図７ＡのＶＩＩＢ−ＶＩＩＢ線における、バネ部３０の屈曲部３３、第１突起部２３４、溝部２２２ａ等を示す部分拡大断面図である。
【００７２】
本変形例における他の構成は、特に明記しない場合は、実施の形態と同様であり、同一の構成については同一の符号を付して構成に関する詳細な説明を省略する。
【００７３】
各々のバネ部３０において、第１突起部２３４は、バネ部３０の幅方向の中央部分に形成される。本実施の形態において、第１突起部２３４は、屈曲部３３の幅方向の中央部分の一部を切り欠き、Ｘ軸プラス方向に向けて延びるように形成される。これにより、バネ部３０を直立の状態にした場合に、屈曲部３３が枠体２０の外径方向に向かって動くが、第１突起部２３４が溝部２２２ａに当て止まることで、屈曲部３３の移動が抑制される。
【００７４】
なお、第１突起部２３４は、屈曲部３３の一部を切り欠いているが、これには限定されない。第１突起部２３４は、配設部３１の一部が切り欠かれて形成されてもよい。また、第１突起部２３４は、屈曲部３３と配設部３１との接続部分近傍に接続された突起であってもよい。また、第１突起部２３４は、屈曲部３３と配設部３１との接続部分近傍の形状を変形させることで形成されてもよい。
【００７５】
このように本変形例に係る照明装置１において、第１突起部２３４は、配設部３１の幅方向の中央部分に形成される。
【００７６】
これによれば、バネ部３０の配設部３１を器具本体３に近づけるように弾性変形させる際に、第１突起部２３４が器具本体３に係止され、枠体２０の外径方向への屈曲部３３の移動が抑制される。
【００７７】
（実施の形態の変形例２）
実施の形態の変形例２の照明装置１の構成を、図８を用いて説明する。
【００７８】
図８は、実施の形態の変形例２に係る照明装置１において、通常の状態の照明装置１を上側から見た場合の照明装置１の外観を示す斜視図である。
【００７９】
本変形例における他の構成は、特に明記しない場合は、実施の形態と同様であり、同一の構成については同一の符号を付して構成に関する詳細な説明を省略する。
【００８０】
本変形例の照明装置１では、上記実施の形態の一対のバネ部が一体化して形成された１つのバネ部３３０によって造営材１００に取り付けられる。バネ部３３０は、１枚の板バネを折り曲げて構成されている。バネ部３３０は、配設部３３１と、配設部３３１の両端でそれぞれ対向する方向に延びる２つの屈曲部３３と、２つのアーム部３２とを有する。
【００８１】
配設部３３１は、筐体１０に沿って形成され、板状の取付部である。配設部３３１は、当該照明装置１を造営材１００に取り付ける姿勢における器具本体３の天頂側の面、つまり、筐体１０の底部１１に固定される。配設部３３１は、筐体１０の天頂側の面又は筐体１０の外壁部２３において、ボルト、ネジ等の固定部材で固定される。また配設部３３１は、筐体１０の底部１１、または外壁部２３に位置する箇所に設けた爪部によって筐体１０に固定されていてもよい。
【００８２】
このように本変形例に係る照明装置１において、器具本体３は、有底筒状である。そして、配設部３３１は、器具本体３に固定される。
【００８３】
これによれば、バネ部３３０と造営材１００の取付孔１０１とのクリアランスを小さくすることができる。
【００８４】
（その他）
以上、本開示について、実施の形態及び実施の形態の変形例１、２に基づいて説明したが、本開示は、上記表示装置に限定されるものではない。
【００８５】
例えば、上記各実施の形態及び実施の形態の変形例１、２に係る照明装置において、複数の第１突起部に一対一で対応する複数の溝部が枠体の鍔部に複数形成されているが、例えば、鍔部には環状に凹む１つの溝部が形成されていてもよい。このため、複数の第１突起部に複数の溝部が一対一で対応することが必須の要件ではない。
【００８６】
また、上記各実施の形態及び実施の形態の変形例１、２に係る照明装置は、電源ユニットから電力が供給されてもよい。電源ユニットは、電源回路が搭載された電源基板を備えていてもよい。電源基板は、入力された商用交流電力を所定の直流電力に変換して発光モジュールに供給してもよい。
【００８７】
以上、本開示の一つ又は複数の態様に係る照明装置について、実施の形態及び実施の形態の変形例１、２に基づいて説明したが、本開示は、この実施の形態及び実施の形態の変形例１、２に限定されるものではない。本開示の趣旨を逸脱しない限り、当業者が思いつく各種変形を本実施の形態及び実施の形態の変形例１、２に施したものや、異なる実施の形態における構成要素を組み合わせて構築される形態も、本開示の一つ又は複数の態様の範囲内に含まれてもよい。
【符号の説明】
【００８８】
１  照明装置
３  器具本体
１１  底部
２２ａ、２２２ａ  溝部
２３  外壁部
３０、３３０  バネ部
３０ａ  スリット
３１、３３１  配設部
３１ａ  爪部
３３  屈曲部
３４、２３４  第１突起部
３５  第２突起部
４１  光源
【図１Ａ】
2020071972.tif 000003
【図１Ｂ】
2020071972.tif 000004
【図２Ａ】
2020071972.tif 000005
【図２Ｂ】
2020071972.tif 000006
【図２Ｃ】
2020071972.tif 000007
【図３Ａ】
2020071972.tif 000008
【図３Ｂ】
2020071972.tif 000009
【図４Ａ】
2020071972.tif 000010
【図４Ｂ】
2020071972.tif 000011
【図５Ａ】
2020071972.tif 000012
【図５Ｂ】
2020071972.tif 000013
【図６】
2020071972.tif 000014
【図７Ａ】
2020071972.tif 000015
【図７Ｂ】
2020071972.tif 000016
【図８】
2020071972.tif 000017